(57)【要約】【課題】ユーザ端末機環境を考慮した広告提供方法およびそのシステムを開示する。【解決手段】ユーザ端末機環境を考慮した広告提供方法は、ユーザ端末機の環境情報を確認するステップと、ユーザ端末機の環境情報に応じて広告コンテンツのクリエイティブ形態を制御するステップとを含み、環境情報は、ユーザ端末機に設定されたフラッシュプレイヤのバージョン、インターネットブラウザの種類およびバージョン、モニタ解像度のうちの少なくとも１つを用いることができる。【選択図】図３
2009163728.tif 000002
【特許請求の範囲】
【請求項１】
ユーザ端末機の環境情報を確認するステップと、
前記ユーザ端末機の環境情報に応じて広告コンテンツのクリエイティブ形態を制御するステップと、
を含むことを特徴とする広告提供方法。
【請求項２】
ユーザ端末機の環境情報を確認するステップは、
前記ユーザ端末機からコンテンツページ要請がある場合に、前記環境情報を認識するための環境情報認識コードを生成するステップと、
前記生成された環境情報認識コードを用いて前記ユーザ端末機の環境情報を確認するステップと、
を含むことを特徴とする請求項１に記載の広告提供方法。
【請求項３】
前記コンテンツページは、少なくとも１つの広告コンテンツを含み、
前記環境情報を認識するための環境情報認識コードを生成するステップは、
前記コンテンツページに含まれた広告コンテンツが前記環境情報に応じて互いに異なる形態のクリエイティブを提供するコンテンツの場合に、前記環境情報認識コードを生成することを特徴とする請求項２に記載の広告提供方法。
【請求項４】
前記環境情報認識コードは、ジャバスクリプトコードを含み、
前記ユーザ端末機の環境情報を確認するステップは、
前記ジャバスクリプトに含まれた内蔵オブジェクトを用いて前記ユーザ端末機に設定された前記環境情報を確認することを特徴とする請求項２に記載の広告提供方法。
【請求項５】
前記ユーザ端末機の環境情報は、
フラッシュプレイヤの設置有無およびバージョンであることを特徴とする請求項１に記載の広告提供方法。
【請求項６】
前記フラッシュプレイヤの設置有無およびバージョン別に互いに異なるクリエイティブ形態を予め定義し、
前記ユーザ端末機の環境情報に応じて広告コンテンツのクリエイティブ形態を制御するステップは、
前記ユーザ端末機で確認された前記フラッシュプレイヤの設置有無およびバージョンに該当するクリエイティブ形態を選択するステップと、
前記選択されたクリエイティブ形態の広告コンテンツを前記ユーザ端末機に提供するステップと、
を含むことを特徴とする請求項５に記載の広告提供方法。
【請求項７】
前記ユーザ端末機の環境情報は、
インターネットブラウザの種類およびバージョンであることを特徴とする請求項１に記載の広告提供方法。
【請求項８】
前記インターネットブラウザの種類およびバージョン別に互いに異なるクリエイティブ形態を予め定義し、
前記ユーザ端末機の環境情報に応じて広告コンテンツのクリエイティブ形態を制御するステップは、
前記ユーザ端末機で確認された前記インターネットブラウザの種類およびバージョンに該当するクリエイティブ形態を選択するステップと、
前記選択されたクリエイティブ形態の広告コンテンツを前記ユーザ端末機に提供するステップと、
を含むことを特徴とする請求項７に記載の広告提供方法。
【請求項９】
前記ユーザ端末機の環境情報は、
モニタ解像度であることを特徴とする請求項１に記載の広告提供方法。
【請求項１０】
前記モニタ解像度別に互いに異なるクリエイティブ形態を予め定義し、
前記ユーザ端末機の環境情報に応じて広告コンテンツのクリエイティブ形態を制御するステップは、
前記ユーザ端末機で確認された前記モニタ解像度に該当するクリエイティブ形態を選択するステップと、
前記選択されたクリエイティブ形態の広告コンテンツを前記ユーザ端末機に提供するステップと、
を含むことを特徴とする請求項９に記載の広告提供方法。
【請求項１１】
請求項１〜１０のうちのいずれか一項の方法を実行させるためのプログラムを記録したコンピュータ読み取り可能な記録媒体。
【請求項１２】
ユーザ端末機の環境情報に応じてクリエイティブ形態を決定する広告判断部と、
前記決定されたクリエイティブ形態の広告コンテンツを前記ユーザ端末機に提供する広告提供部と、
を備えることを特徴とする広告提供システム。
【請求項１３】
前記広告判断部は、
前記ユーザ端末機からコンテンツページ要請がある場合に、前記環境情報を認識するための環境情報認識コードを生成するコード生成部と、
前記環境情報認識コードを用いて前記ユーザ端末機の環境情報を確認する環境認識部と、
前記ユーザ端末機の環境情報に該当するクリエイティブ形態を決定するクリエイティブ決定部と、
を備えることを特徴とする請求項１２に記載の広告提供システム。
【請求項１４】
前記コンテンツページは、少なくとも１つの広告コンテンツを含み、
前記広告判断部は、
前記コンテンツページに含まれた広告コンテンツが前記環境情報に応じて互いに異なる形態のクリエイティブを提供するコンテンツであるか否かを判断するコンテンツ判断部、
をさらに備え、
前記環境情報に応じて互いに異なる形態のクリエイティブを提供する広告コンテンツに対して前記ユーザ端末機の環境情報を確認した後、前記環境情報に該当するクリエイティブ形態を決定することを特徴とする請求項１３に記載の広告提供システム。
【請求項１５】
前記ユーザ端末機の環境情報はフラッシュプレイヤの設置有無およびバージョンであり、前記広告コンテンツに対して前記フラッシュプレイヤの設置有無およびバージョン別に互いに異なるクリエイティブ形態を予め定義し、
前記広告提供部は、
前記ユーザ端末機の前記フラッシュプレイヤの設置有無およびバージョンに該当するクリエイティブ形態の広告コンテンツを前記ユーザ端末機に提供することを特徴とする請求項１４に記載の広告提供システム。
【請求項１６】
前記ユーザ端末機の環境情報はインターネットブラウザの種類およびバージョンであり、前記広告コンテンツに対して前記インターネットブラウザの種類およびバージョン別に互いに異なるクリエイティブ形態を予め定義し、
前記広告提供部は、
前記ユーザ端末機の前記インターネットブラウザの種類およびバージョンに該当するクリエイティブ形態の広告コンテンツを前記ユーザ端末機に提供することを特徴とする請求項１４に記載の広告提供システム。
【請求項１７】
前記ユーザ端末機の環境情報はモニタ解像度であり、前記広告コンテンツに対して前記モニタ解像度別に互いに異なるクリエイティブ形態を予め定義し、
前記広告提供部は、
前記ユーザ端末機のモニタ解像度に該当するクリエイティブ形態の広告コンテンツを前記ユーザ端末機に提供することを特徴とする請求項１４に記載の広告提供システム。
【発明の詳細な説明】
【技術分野】
【０００１】
本発明は、広告提供システムに関し、より詳細には、ユーザ端末機の端末機仕様とインターネット環境に適合した適応型広告コンテンツを提供することができる広告提供方法およびそのシステムに関する。
【背景技術】
【０００２】
今日、インターネットなど通信網の急激な発展に伴い、通信網を介した情報検索が極めて一般化している。ウェブサイト（ｗｅｂ  ｓｉｔｅ）とは、ウェブサーバ（ｗｅｂ  ｓｅｒｖｅｒ）に情報を格納しておく集合体であり、より詳細には、インターネットでユーザが情報を必要とするときに、いつでもそれを提供できるようにウェブサーバに情報を格納しておく集合体を意味する。
【０００３】
主題別に所望するサイトのリストを羅列しているサイトが多くあるが、これをポータルサイト（ｐｏｒｔａｌ  ｓｉｔｅ）と言う。ポータルサイトは、情報検索サービスやコミュニティのようにユーザが定期的に用いるサービスを提供することで、固定訪問者を確保してインターネットビジネスに連結させている。
【０００４】
このようなウェブサイトは、ＨＴＭＬ（ＨｙｐｅｒＴｅｘｔ  Ｍａｒｋｕｐ  Ｌａｎｇｕａｇｅ）で作成されたウェブページの集合で構成される。また、それぞれのウェブページは、テキストとイメージで構成された広告または記事などの各種コンテンツで構成されている。
【０００５】
しかしながら、ユーザのＰＣ（ｐｅｒｓｏｎａｌ  ｃｏｍｐｕｔｅｒ）仕様およびインターネット環境が次第に多様化する反面、広告コンテンツの露出位置およびサイズなどの広告制作形態（ｃｒｅａｔｉｖｅ）は固定（ｆｉｘ）されているという実情にある。
【０００６】
このような一貫した広告製作形態により、ユーザのＰＣ画面に露出される広告コンテンツが制限されるようになる。例えば、ユーザＰＣのモニタに設定された解像度に応じて広告コンテンツの露出形態が制限される場合がある。モニタ解像度とは、画面上でイメージの精密度を示す指標であり、一画面にピクセルがどの位含まれているのかを意味する。その殆どは横のピクセル数と縦のピクセル数を掛ける形態で示される。例えば、１，０２４×７６８は、横１，０２４個、縦７６８個のピクセルでイメージをモニタに示すという表示である。同じ解像度であってもサイズが小さいモニタではより鮮明であるし、モニタのサイズが大きくなるほど面積が広くなるため、鮮明度が低下するようになる。
【０００７】
従来の広告提供方式は、ユーザＰＣのモニタ解像度に応じてコンテンツ露出が制限されるだけでなく、ユーザＰＣに設置されたフラッシュプレイヤ（ｆｌａｓｈ  ｐｌａｙｅｒ）またはインターネットブラウザ（ｉｎｔｅｒｎｅｔ  ｂｒｏｗｓｅ）に応じてサポートが可能な広告素材に制限されるため、結果的にはコンテンツページの広告露出効率が低下するという問題がある。
【発明の開示】
【発明が解決しようとする課題】
【０００８】
本発明は、上述した問題点を解決するために案出されたものであって、ユーザ端末機の端末機仕様とインターネット環境を考慮して適応型クリエイティブ（ｃｒｅａｔｉｖｅ）の広告を提供することができる広告提供方法および広告提供システムを提供することを目的とする。
【課題を解決するための手段】
【０００９】
上述した目的を達成するために、本発明は、ユーザ端末機の環境情報を確認するステップと、前記ユーザ端末機の環境情報に応じて広告コンテンツのクリエイティブ形態を制御するステップとを含む広告提供方法を提供する。前記環境情報としては、前記ユーザ端末機に設定されたフラッシュプレイヤのバージョン、インターネットブラウザの種類およびバージョン、モニタ解像度のうちの少なくとも１つを用いることができる。
【００１０】
前記ユーザ端末機の環境情報に応じて広告コンテンツのクリエイティブ形態を制御するステップは、前記フラッシュプレイヤの設置有無およびバージョン別に互いに異なるクリエイティブ形態を予め定義し、前記ユーザ端末機で確認された前記フラッシュプレイヤの設置有無およびバージョンに該当するクリエイティブ形態を選択するステップと、前記選択されたクリエイティブ形態の広告コンテンツを前記ユーザ端末機に提供するステップを含むことができる。
【００１１】
また、前記ユーザ端末機の環境情報に応じて広告コンテンツのクリエイティブ形態を制御するステップは、前記インターネットブラウザの種類およびバージョン別に互いに異なるクリエイティブ形態を予め定義し、前記ユーザ端末機で確認された前記インターネットブラウザの種類およびバージョンに該当するクリエイティブ形態を選択するステップと、前記選択されたクリエイティブ形態の広告コンテンツを前記ユーザ端末機に提供するステップを含むことができる。
【００１２】
また、前記ユーザ端末機の環境情報に応じて広告コンテンツのクリエイティブ形態を制御するステップは、前記モニタ解像度別に互いに異なるクリエイティブ形態を予め定義し、前記ユーザ端末機で確認された前記モニタ解像度に該当するクリエイティブ形態を選択するステップと、前記選択されたクリエイティブ形態の広告コンテンツを前記ユーザ端末機に提供するステップを含むことができる。
【００１３】
さらに、本発明は、ユーザ端末機の環境情報に応じてクリエイティブ形態を決定する広告判断部と、前記決定されたクリエイティブ形態の広告コンテンツを前記ユーザ端末機に提供する広告提供部とを備える広告提供システムを提供する。
【００１４】
ここで、前記広告判断部は、前記ユーザ端末機からコンテンツページ要請がある場合に、前記環境情報を認識するための環境情報認識コードを生成するコード生成部と、前記環境情報認識コードを用いて前記ユーザ端末機の環境情報を確認する環境認識部と、前記ユーザ端末機の環境情報に該当するクリエイティブ形態を決定するクリエイティブ決定部とを備えることができる。
【００１５】
また、前記広告判断部は、前記コンテンツページに含まれた広告コンテンツが前記環境情報に応じて互いに異なる形態のクリエイティブを提供するコンテンツであるか否かを判断するコンテンツ判断部をさらに備え、前記環境情報に応じて互いに異なる形態のクリエイティブを提供する広告コンテンツに対して前記ユーザ端末機の環境情報を確認した後、前記環境情報に該当するクリエイティブ形態を決定する。
【発明の効果】
【００１６】
本発明によれば、ユーザ端末機の端末機仕様とインターネット環境に適合するクリエイティブ形態の広告を提供する新しい広告モデルを提案することができる。
【００１７】
また、本発明によれば、ユーザ端末機の仕様とインターネット環境に応じて広告の素材やサイズおよび位置を相違させて提供することで、ユーザの満足度および広告効率を極大化することができる。
【発明を実施するための最良の形態】
【００１８】
以下、添付の図面を参照しながら、本発明に係るユーザ端末機環境を考慮した広告提供方法およびそのシステムについて説明する。
【００１９】
図１は、ユーザ端末機環境に応じて広告クリエイティブ形態を制御する広告提供システムを概略的に示す図である。また、図２は、本発明に係る広告提供システムの内部構成を説明するための図である。
【００２０】
ユーザ端末機１１０から広告提供システム１２０に所定のコンテンツページを要請１０１する場合に、広告提供システム１２０は、該当するコンテンツページをユーザ端末機１１０に露出するためのページコードを生成する。これは、インターネットでユーザが個人用コンピュータを介してウェブサーバに接続してウェブページを要請する場合に、ウェブサーバでウェブページのためのＨＴＭＬコードを生成する過程などを意味することができる。
【００２１】
広告提供システム１２０で生成されたページコードは、ユーザ端末機１１０に設定された環境情報を確認するための環境情報認識コードを含むことができ、環境情報認識コード１０２が含まれたページコードがユーザ端末機１１０に送信される。ユーザ端末機１１０は、広告提供システム１２０から受信した環境情報認識コード１０２を用いて自分の環境情報１０３を確認した後、環境情報１０３を広告提供システム１２０に送信する。これは、ウェブサーバで個人用コンピュータの環境情報を確認するためのジャバスクリプトコードをＨＴＭＬコードに挿入して個人用コンピュータに送信し、ジャバスクリプトコードが個人用コンピュータに設定された環境情報を確認してウェブサーバに伝送する過程を意味することができる。
【００２２】
広告提供システム１２０は、ユーザ端末機１１０の環境情報１０３に該当する広告クリエイティブ形態を決定し、コンテンツページに含まれた広告コンテンツを決定されたクリエイティブ形態１０４で露出することで、ユーザ端末機１１０に環境情報１０３と適合する特定クリエイティブの広告１０４を提供することができる。
【００２３】
広告提供システム１２０は、図２に示すように、広告判断部と、広告提供部２５０とを備えることができる。
【００２４】
広告提供システム１２０は、各広告コンテンツに対して環境情報に応じて互いに異なるクリエイティブ形態を予め定義し、ユーザ端末機１１０の環境情報に適合するクリエイティブ形態の広告コンテンツを提供することができる。
【００２５】
広告提供システム１２０は、広告クリエイティブ形態を制御するための環境情報として、ユーザ端末機１１０に設定されたフラッシュプレイヤのバージョン、インターネットブラウザの種類およびバージョン、モニタ解像度のうちの少なくとも１つを用いることができる。
【００２６】
さらに詳細に説明すれば、広告判断部は、コンテンツ認識部２１０と、コード生成部２２０と、環境認識部２３０と、クリエイティブ決定部２４０とを備えることができる。
【００２７】
コンテンツページは、少なくとも１つの広告コンテンツを含むことができ、コンテンツ認識部２１０は、コンテンツページに含まれた広告コンテンツが環境情報に応じて互いに異なる形態のクリエイティブを提供するコンテンツであるか否かを判断することができる。
【００２８】
コード生成部２２０は、ユーザ端末機１１０からコンテンツページ要請がある場合に、ユーザ端末機１１０の環境情報を認識するための環境情報認識コードを生成する。コード生成部２２０は、環境情報に応じて互いに異なる形態のクリエイティブを提供する広告コンテンツに限って、環境情報認識コードを生成することができる。
【００２９】
ユーザ端末機１１０では、広告提供システムから受信した環境情報認識コードを用いて自分の環境情報を確認した後、これを広告提供システム１２０に送信するようになるが、環境認識部２３０は、ユーザ端末機１１０から送信された環境情報を受信する役割を実行する。クリエイティブ決定部２４０は、各広告コンテンツに対して予め定義された環境情報別のクリエイティブ形態のうち、ユーザ端末機１１０の環境情報に該当するクリエイティブ形態を選択することができる。
【００３０】
上述した広告判断部でユーザ端末機１１０に該当するクリエイティブ形態が決定されれば、広告提供部２５０は、ユーザ端末機１１０にコンテンツページの広告コンテンツを広告判断部で決定されたクリエイティブ形態で提供する。
【００３１】
このように、ユーザ端末機１１０の環境情報を確認し、環境情報に適合する広告クリエイティブ形態に応じて広告を露出する広告提供方法についてさらに詳しく説明する。
【００３２】
図３は、本発明においてユーザ端末機環境を考慮した広告提供方法の全過程を示すフローチャートである。
【００３３】
ステップＳ３０１で、広告提供システムは、ユーザ端末機からコンテンツページ要請がある場合に、言い換えれば、ユーザ端末機からのコンテンツページ要請を受信した場合にこれに応答して、ユーザ端末機の環境情報を確認（取得）するための環境情報認識コードを生成してユーザ端末機に送信する。具体的には、広告提供システムは、コンテンツページ要請に該当するコンテンツページを露出するためのページコードに環境情報認識コードを追加してユーザ端末機に送信する。コンテンツページは少なくとも１つの広告コンテンツを含み、広告コンテンツのクリエイティブ形態を決定するためにユーザ端末機の環境情報を用いる。このように、環境情報認識コードを生成するステップＳ３０１については、図４を参照しながらさらに詳しく説明する。
【００３４】
ステップＳ３０２で、広告提供システムは、環境情報認識コードを受信したユーザ端末機が当該環境情報認識コードを実行することにより生成（確認）された環境情報を当該ユーザ端末機から受信する。ここで、ユーザ端末機は、広告提供システムから送信された環境情報認識コードを用いて自分の環境情報を確認した後、確認された環境情報を広告提供システムに送信する。このように、ユーザ端末機の環境情報を確認するステップについては、図５を参照しながらさらに詳しく説明する。
【００３５】
ステップＳ３０３で、広告提供システムは、ユーザ端末機の環境情報に相応（対応）するクリエイティブ形態を決定する。
【００３６】
ステップＳ３０４で、広告提供システムは、コンテンツページに含まれた広告コンテンツを、決定されたクリエイティブ形態に応じてユーザ端末機に提供する。広告提供システムは、各広告コンテンツに対してユーザ端末機の環境情報別に互いに異なる形態のクリエイティブを予め定義し、ユーザ端末機の環境情報に適合するクリエイティブ形態の広告コンテンツを提供することができる。
【００３７】
図４は、本発明の広告提供方法におけるユーザ端末機の環境情報を認識するためのコード生成過程を説明するためのフローチャートである。
【００３８】
ステップＳ４０１で、広告提供システムは、ユーザ端末機から所定のコンテンツページに対する要請信号を受信する。
【００３９】
ステップＳ４０２で、広告提供システムは、ユーザ端末機の要請に応じて該当するコンテンツページに含まれた広告コンテンツからユーザ端末機の環境情報チェック要否を決定する。つまり、広告提供システムは、要請されたコンテンツページに含まれる広告コンテンツ毎にユーザ端末機の環境に応じた露出を制御するか、言い換えれば、露出される広告コンテンツがクリエイティブ形態での露出を要するか否かに関する情報を別途保持しており、広告提供システムは、要請のあったコンテンツページに含まれる１つ又は複数の広告コンテンツ毎に、ユーザ端末機の環境情報に応じたクリエイティブ形態での露出を行うか否かを判別する。例えば、広告コンテンツ毎に予めクリエイティブ形態での露出を要するか否かの情報を格納し、要請されたコンテンツページに含まれる広告コンテンツがユーザ端末機の環境情報のチェックを要するか否かを判断することができる。
【００４０】
ステップＳ４０３で、広告提供システムは、ユーザ端末機の環境情報に応じて互いに異なる形態のクリエイティブを有する広告コンテンツに対してのみ、ユーザ端末機の環境情報を確認（取得）するための環境情報認識コードを生成する。なお、予めクリエイティブ形態での露出を要する広告コンテンツと環境情報認識コードとを関連付けて保持することもでき、環境情報認識コードを生成するのではなく、格納先から抽出するように構成することも可能である。
【００４１】
また、コンテンツページに含まれた広告コンテンツがユーザ端末機の環境情報に応じて互いに異なる形態のクリエイティブを有する場合にはユーザ端末機の環境情報を確認するが、ユーザ端末機の環境情報とは関係なく一貫したクリエイティブ（固定されたクリエイティブ形態）を有する場合には、ユーザ端末機の環境情報を確認（取得）する過程自体を省略することができる。
【００４２】
広告提供システムは、ユーザ端末機から要請された該当のコンテンツページを提供するためにページコードを生成してユーザ端末機に送信するが、ページコードにユーザ端末機の環境情報を確認するための環境情報認識コードを追加することができる。
【００４３】
このとき、ページコードは、コンテンツページに対するＨＴＭＬコードを意味し、環境情報認識コードは、ユーザ端末機に設定された環境情報を確認（取得）することができるジャバスクリプトコードを含むことができる。ジャバスクリプトは、ウェブブラウザ自体が様々な機能を実行するようにするプログラムミング言語であり、ウェブサーバの負担を減らすことができると共に多様な機能を実行することができる。ジャバスクリプトコードは、このようなジャバスクリプトに基づいて生成されたコードを意味することができる。
【００４４】
図５は、ユーザ端末機で自分の環境情報を認識する過程を説明するためのフローチャートである。
【００４５】
ステップＳ５０１で、ユーザ端末機は、広告提供システムから送信されたジャバスクリプトコードを受信し、受信されたジャバスクリプトコードを用いて自分の環境情報を確認する。ユーザ端末機は、フラッシュプレイヤ、インターネットブラウザ、モニタ解像度のうちの少なくとも１つを環境情報として定義した後、ジャバスクリプトコードに含まれた内蔵オブジェクトを用いて該当する環境情報を確認（取得）することができる。
【００４６】
ステップＳ５０２で、ユーザ端末機は、環境情報に対する確認過程が完了すれば確認された環境情報を広告提供システムに送信できるように、環境情報を含んだテンプレート（ｔｅｍｐｌａｔｅ）を生成する。
【００４７】
ステップＳ５０３で、ユーザ端末機は、生成された環境情報に対するテンプレートを広告提供システムに送信する。ユーザ端末機は、環境情報認識コードを用いて環境情報を認識した後、環境情報を広告クリエイティブ形態の制御に用いることができるように広告提供システムに送信する。
【００４８】
本発明の広告提供システムは、ユーザ端末機の環境情報を確認した後、環境情報に適合するクリエイティブ形態の広告コンテンツを提供することができる。一方、コンテンツページ内の広告コンテンツがユーザ端末機の環境情報と関係のないクリエイティブ形態を有したり、ユーザ端末機で確認された環境情報と対応するクリエイティブ形態が存在しなかったりする場合には、デフォルトクリエイティブ形態で提供することができる。
【００４９】
ここで、コンテンツページに対する環境情報認識コードの挿入例について説明する。例えば、環境情報認識コードは、クリエイティブ形態での露出を要する広告コンテンツに該当するページコードにおいて、その広告コンテンツをブラウザが表示する最初の段階（広告コンテンツを表示する動作を遂行する前）に環境情報認識コードが実行されるように挿入することができ、広告コンテンツがブラウザに表示される前にユーザ端末機から環境情報が広告提供システムに送信され、各広告クリエイティブ形態の制御が遂行されるように構成することができる。また、各広告コンテンツに係るページコードが読み込まれる際に環境情報の取得及び送信を行わずに、ブラウザがページコードを読み込む初期の段階（ページコードの冒頭）に環境情報認識コードを挿入し、ブラウザがコンテンツページを表示する動作を遂行する前にユーザ端末機の環境情報を広告提供システムに送信するように構成することもできる。
【００５０】
また、環境情報認識コードは、要請されたコンテンツページに含まれた態様以外にも、例えば、要求されたコンテンツページとは個別に環境情報認識コードのみをユーザ端末機に送信して当該ユーザ端末機の環境情報を確認（取得）するように構成することも可能である。
【実施例１】
【００５１】
図６は、ユーザ端末機のフラッシュプレイヤを用いて広告クリエイティブ形態を制御する方法の一例を示す図である。
【００５２】
本実施形態の広告提供システムは、ユーザ端末機の環境情報のうち、フラッシュプレイヤの設置有無およびバージョンを用いて広告クリエイティブ形態を制御することができる。
【００５３】
広告提供システムは、ユーザ端末機に設置されているフラッシュプレイヤ６００を確認対象として予め定義し、フラッシュプレイヤ６００の設置有無およびバージョンを確認するための環境情報認識コードを生成してユーザ端末機に送信する。広告提供システムは、ユーザ端末機のフラッシュプレイヤの設置有無およびバージョンを確認した後、これに応じて広告クリエイティブ形態を制御することができる。すなわち、広告提供システムは、ユーザ端末機に設置されたフラッシュプレイヤのバージョン別にサポートする機能および効果が異なるため、フラッシュプレイヤのバージョン別に露出される広告の素材を異なるように提供することができる。
【００５４】
このために、広告提供システムは、各広告コンテンツに対してフラッシュプレイヤのバージョン別に互いに異なる広告クリエイティブ形態を予め定義する（同一の広告コンテンツについて広告クリエイティブ形態が異なる複数の広告コンテンツを格納している）。このとき、ユーザ端末機にフラッシュプレイヤ６００が未設置６０１である場合には、広告コンテンツを基本サイズのＧＩＦまたはＪＰＥＧで提供する第１クリエイティブ形態６０６を選択し、第１クリエイティブ形態６０６の広告コンテンツを露出することができる。
【００５５】
一方、ユーザ端末機に設置されたフラッシュプレイヤ６００のバージョンが６．０（６０２）または７．０（６０３）である場合には、広告コンテンツを基本サイズの一般フラッシュ（ｆｌａｓｈ）で提供する第２クリエイティブ形態６０７を選択し、第２クリエイティブ形態６０７の広告コンテンツを露出することができる。
【００５６】
また、ユーザ端末機に設置されたフラッシュプレイヤ６００のバージョンが８．０（６０４）または９．０（６０５）である場合には、広告コンテンツを高画質動画、ＴＩ、または拡張型などのパフォーマンスを要するフラッシュで提供する第３クリエイティブ形態６０８を選択し、第３クリエイティブ６０８の広告コンテンツを露出することができる。
【００５７】
このように、ユーザ端末機に設置されたフラッシュプレイヤの設置有無およびバージョンに応じて互いに異なるクリエイティブ形態の広告コンテンツをユーザ端末機に送信することで、フラッシュプレイヤのバージョンに応じて広告の素材を異なるように露出してコンテンツページの効率を向上させることができる。
【実施例２】
【００５８】
図７は、ユーザ端末機のインターネットブラウザを用いて広告クリエイティブ形態を制御する方法の一例を示す図である。
【００５９】
本実施形態の広告提供システムは、ユーザ端末機の環境情報のうち、インターネットブラウザの種類およびバージョンを用いて広告クリエイティブ形態を制御することができる。
【００６０】
広告提供システムは、ユーザ端末機に設置されているインターネットブラウザ７００を確認対象として予め定義し、インターネットブラウザ７００の種類およびバージョンを確認するための環境情報認識コードを生成してユーザ端末機に送信する。広告提供システムは、ユーザ端末機のインターネットブラウザの種類およびバージョンを確認した後、これに応じて広告クリエイティブ形態を制御することができる。すなわち、広告提供システムは、ユーザ端末機に設置されたインターネットブラウザの種類およびバージョン別にサポートする機能が異なるため、インターネットブラウザの種類やバージョン別に露出される広告の素材を異なるように提供することができる。
【００６１】
これのために、広告提供システムは、各広告コンテンツに対してインターネットブラウザの種類およびバージョン別に互いに異なる広告クリエイティブ形態を予め定義する。このとき、ユーザ端末機に設置されたインターネットブラウザ７００がサファリ（Ｓａｆａｒｉ  １，２，…）７０１またはオペラ（Ｏｐｅｒａ  １，２，…）７０２である場合には、広告コンテンツを基本サイズのＧＩＦまたはＪＰＥＧで提供する第１クリエイティブ形態７０５を選択し、第１クリエイティブ形態７０５の広告コンテンツを露出することができる。
【００６２】
一方、ユーザ端末機に設置されたインターネットブラウザ７００がファイアフォックス（ＦｉｒｅＦｏｘ  １，２，…）７０３である場合には、広告コンテンツを基本サイズの一般フラッシュで提供する第２クリエイティブ形態７０６を選択し、第２クリエイティブ形態７０６の広告コンテンツを露出することができる。
【００６３】
また、ユーザ端末機に設置されたインターネットブラウザ７００がインターネットエクスプローラ（Ｉｎｔｅｒｎｅｔ  Ｅｘｐｌｏｒｅｒ  ５，６，…）７０４である場合には、広告コンテンツを高画質動画、ＴＩ、または拡張型などのパフォーマンスを要するフラッシュで提供する第３クリエイティブ形態７０７を選択し、第３クリエイティブ形態７０７の広告コンテンツを露出することができる。
【００６４】
このように、ユーザ端末機に設置されたインターネットブラウザの種類およびバージョンに応じて互いに異なるクリエイティブ形態の広告コンテンツをユーザ端末機に送信することで、インターネットブラウザに応じて広告の素材を異なるように露出してコンテンツページの効率を向上させることができる。
【実施例３】
【００６５】
図８は、ユーザ端末機のモニタ解像度を用いて広告クリエイティブ形態を制御する方法の一例を示す図である。
【００６６】
本実施形態の広告提供システムは、ユーザ端末機の環境情報のうち、モニタ解像度を用いて広告クリエイティブ形態を制御することができる。
【００６７】
広告提供システムは、ユーザ端末機に設置されているモニタ解像度８００を確認対象として予め定義し、モニタ解像度８００を確認するための環境情報認識コードを生成してユーザ端末機に送信する。広告提供システムは、ユーザ端末機のモニタ解像度を確認した後、これに応じて告クリエイティブ形態を制御することができる。すなわち、広告提供システムは、ユーザ端末機に設置されたモニタ解像度に応じて広告露出状態が決定されるため、モニタ解像度別に露出される広告のサイズおよび位置を区分して提供することができる。
【００６８】
このために、広告提供システムは、各広告コンテンツに対してモニタ解像度別に互いに異なる広告クリエイティブ形態を予め定義する。このとき、ユーザ端末機のモニタ解像度８００が８００×６００解像度８０１を有する場合には、広告コンテンツを基本サイズの一般フラッシュで提供する第１クリエイティブ形態８０５を選択し、第１クリエイティブ形態８０５の広告コンテンツを露出することができる。
【００６９】
一方、ユーザ端末機のモニタ解像度８００が１０２４×７６８解像度８０２を有する場合には、広告コンテンツをコンテンツページの広告領域範囲内で露出する第２クリエイティブ形態８０６を選択し、第２クリエイティブ形態８０６の広告コンテンツを露出することができる。
【００７０】
また、ユーザ端末機のモニタ解像度８００が１１７８×７６８解像度８０３または１２８０×８００解像度８０４を有する場合には、広告コンテンツをコンテンツページの左右余白空間に露出する第３クリエイティブ形態８０７を選択し、第３クリエイティブ形態８０７の広告コンテンツを露出することができる。
【００７１】
このように、ユーザ端末機のモニタ解像度に応じて互いに異なるクリエイティブ形態の広告コンテンツをユーザ端末機に送信することで、モニタ解像度に応じて広告のサイズおよび位置を異なるように露出してコンテンツページの効率を向上させることができる。
【００７２】
なお、本発明に係るユーザ端末機環境を考慮した広告提供方法は、コンピュータにより実現される多様な動作を実行するためのプログラム命令として具現化することができ、さらにはプログラム命令を含むコンピュータ読取可能な記録媒体を含むことができる。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００７３】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００７４】
【図１】本発明に係る広告提供システムでユーザ端末機の環境情報に応じて広告クリエイティブ形態を制御するシステムを概括的に示す図である。
【図２】本発明に係る広告提供システムの内部構成を説明するための図である。
【図３】本発明においてユーザ端末機環境を考慮した広告提供方法の全過程を示すフローチャートである。
【図４】本発明の広告提供方法でユーザ端末機の環境情報を認識するためのコード生成過程を説明するためのフローチャートである。
【図５】ユーザ端末機で自分の環境情報を認識する過程を説明するためのフローチャートである。
【図６】ユーザ端末機のフラッシュプレイヤを用いて広告クリエイティブ形態を制御する方法の一例を示す図である。
【図７】ユーザ端末機のインターネットブラウザを用いて広告クリエイティブ形態を制御する方法の一例を示す図である。
【図８】ユーザ端末機のモニタ解像度を用いて広告クリエイティブ形態を制御する方法の一例を示す図である。
【符号の説明】
【００７５】
１１０：ユーザ端末機
１２０：広告提供システム
２１０：コンテンツ認識部
２２０：コード生成部
２３０：環境認識部
２４０：クリエイティブ決定部
２５０：広告制御部
【図１】
2009163728.tif 000003
【図２】
2009163728.tif 000004
【図３】
2009163728.tif 000005
【図４】
2009163728.tif 000006
【図５】
2009163728.tif 000007
【図６】
2009163728.tif 000008
【図７】
2009163728.tif 000009
【図８】
2009163728.tif 000010